(57)【特許請求の範囲】
【請求項１】
電源端子および負荷端子が形成され、移動可能で、電源と負荷間の回路を接続または遮断するための遮断器本体と、
前記遮断器本体の移動に従って該遮断器本体と電気的および機械的に接続または分離可能で、前記遮断器本体と電気的および機械的に接続されるコネクター、前記遮断器本体との接続または分離を案内するためのネジ管および、電源および負荷にそれぞれ接続される電源端子および負荷端子が具備されるクレードルと、
前記遮断器本体に固定されるベースフレームと、
前記ベースフレームにより回転可能に支持され、前記ネジ管に挿入される位置および前記ネジ管から分離される位置に移動可能な送りネジと、
前記ベースフレームにより水平直線移動可能に支持され、前記送りネジと平行に延設設置されて、前記送りネジが前記ネジ管に挿入されるとき、または、前記ネジ管から分離されるときに前記送りネジの進行方向とは反対方向に該送りネジの移動距離に相応する距離を直線移動するリードバーと、該リードバーに前記送りネジの挿入方向に弾性力を印加するためのスプリングとから成るリードバーアセンブリーと、
前記リードバーに接続されて、該リードバーの直線移動を回転移動に変換させるカムと、
前記カムに接続され、前記送りネジの位置移動に応じた前記遮断器本体の位置移動を表示するための位置表示装置と、を包含して構成される気中遮断器において、
前記位置表示装置は、
前記フレームに固定され、支持穴が形成されるガイドプレートと、
前記ガイドプレートに上下垂直移動可能に配置され、前記カムの作動突起と連結されて前記カムが回転すると、垂直方向に直線移動され、長手方向に形成されたガイド穴及びガイド穴から垂直方向に延長される案内スロットが形成される移動プレートと、
前記移動プレートの前方に配置され、その前面に位置指示部が形成される円板部、該円板部の後面に一体に延長され前記移動プレートのガイド穴を貫通して前記ガイドプレートの支持穴に回転可能に支持される回転軸部、及び前記円板部の後面に偏心して突出されて前記移動プレートの案内スロットに挿入され、前記移動プレートが垂直移動すると前記円板部を回転運動させる駆動突起から成る表示カムと、
前記表示カムの前方に固定されて配置され、該表示カムの位置指示部が外部に露出されるようにホールが形成され、該ホールの周辺には前記位置指示部により遮断器本体の位置が指示される位置マーキング部が形成されるフロントプレートと、
を包含して構成されることを特徴とする気中遮断器。
【請求項２】
前記位置マーキング部は、断路位置マーキング部、テスト位置マーキング部及び接続位置マーキング部が所定間隔をおいて形成されていることを特徴とする請求項１に記載の気中遮断器。
【発明の詳細な説明】
【０００１】
【発明の属する技術分野】
本発明は、引出型気中遮断器に係るもので、詳しくは、クレードルに遮断器本体が引込／引出される時、断路（ｄｉｓｃｏｎｎｅｃｔｅｄ）位置、テスト（ｔｅｓｔｉｎｇ）位置および接続（ｃｏｎｎｅｃｔｅｄ）位置を使用者に一層正確に表示し得る、引出型気中遮断器に関するものである。
【０００２】
【従来の技術】
一般に、回路遮断器とは、送配電線路および自家用変電設備などの電気回路から発生される事故電流（短絡、地絡（ｇｒｏｕｎｄ  ｆａｕｌｔ）および大電流）からモータや変圧器のような負荷機器および線路を保護するために負荷機器と電源間に設置される機器であって、その中で、気中遮断器は、接点の開閉時に発生するアークを消滅させるために用いられる媒質として空気を使用する遮断器を意味し、電源と負荷間に固定状態で設置される固定型と、遮断器の維持保守および安全性を確保するために遮断器が電源と負荷端子から分離移動できる引出型とに区分される。
【０００３】
そして、従来の引出型気中遮断器は、図８に示すように、電源と連結される電源連結端子２０２および負荷機器と連結される負荷連結端子２０４が装着されて一方側が開放された構造のクレードル（ｃｒａｄｌｅ）１００と、該クレードル１００に対して引込（ＰＵＳＨ  ＩＮ）／引出（ＰＵＬＬ  ＯＵＴ）移動可能に配置されて電源と負荷との間の回路を接続または遮断させる遮断器本体２００と、該遮断器本体２００が前記クレードル１００に引込または引出されるとき前記遮断器本体２００の位置を断路位置、テスト位置および接続位置から選択的に外部に表示するための連動装置３００とを備えている。
【０００４】
クレードル１００の電源連結端子２０２および負荷連結端子２０４には、対応の各コネクター２０６、２０８がそれぞれ連結されており、それらコネクター２０６、２０８は、前記遮断器本体２００から突き出した電源連結端子２１０および負荷連結端子２１２にそれぞれ連結されて、前記クレードル１００と前記遮断器本体２００とが電気的、機械的に接続される。
また、前記クレードル１００には、前記遮断器本体２００が引込および引出される時、該遮断器本体２００の移動をガイドするガイドフレーム２１４が設けられている。
【０００５】
連動装置３００は、図９に示すように、前記遮断器本体２００に固定されるベースフレーム１０２と、該ベースフレーム１０２に回転可能に支持される送りネジ（ｌｅａｄ  ｓｃｒｅｗ）１０４と、前記クレードル１００に固定されて前記送りネジ１０４が挿入されるネジ管１０６と、前記ベースフレーム１０２に装着され送りネジ１０４がネジ管１０６に螺合されるとき遮断器本体２００の装着位置を外部に表示する位置表示装置１０８と、該位置表示装置１０８に連結されて遮断器本体２００が断路位置、テスト位置および接続位置の何れかに位置される時、それらの位置を固定させる固定機構１１０と、により構成されている。
【０００６】
また、位置表示装置１０８は、送りネジ１０４と平行に配置されて、該送りネジ１０４がネジ管１０６に螺合されて直線移動する際、クレードル１００の壁面に接触して相対的に後進されるリードバー（ｌｅａｄ  ｂａｒ）１１２と、該リードバー１１２が後進する時に回転運動するように該リードバー１１２に連結され、ベースフレーム１０２に回転可能に装着されるカム１１４と、該カム１１４の一方側に連結され、該カム１１４の回転に従って上下方向に直線移動されながら遮断器本体２００の位置を外部に表示する表示手段１０７と、により構成されている。
【０００７】
ここで、リードバー１１２は、一方側は送りネジ１０４の一方側に該送りネジ１０４と水平に配置され、他方側はカム１１４に形成されるスロット１１８に係合されるように屈曲した所定長さを有する棒状の部材により構成され、スロット１１８に係合されるリードバー１１２の端部には、スロット１１８からの離脱を防止するための離脱防止部材１２０が装着される。離脱防止部材１２０の一方側とベースフレーム１０２の一方側間には、リードバー１１２が作動した後に本来の位置に復帰させるための弾性力を与えるリターンスプリング１２２が掛合されている。
【０００８】
また、カム１１４は、ベースフレーム１０２に回転可能に装着されるようにヒンジ部１２６が形成され、該ヒンジ部１２６の下方部にはリードバー１１２が係合されるスロット１１８が所定角度を以て屈曲した形態で形成され、ヒンジ部１２６の前方側には表示板１５０と連結される連結ピン１２４が装着されている。前記表示手段においては、図１０に示すように、ベースフレーム１０２の後方側に上下方向に直線移動されるように配置されカム１１４と連結される表示板１５０と、該表示板１５０の前方側に配置されるフロントプレート１５２と、表示板１５０の後方側に配置され、ベースフレーム１０２に固定されて表示板１５０の上下移動をガイドするガイドプレート１５４とにより構成されている。
【０００９】
表示板１５０は、平板状に形成されて、上方側前面に遮断器本体２００の位置を色で表示する色表示部１５６が形成され、一方側にカム１１４の連結ピン１２４が結合されている。
また、フロントプレート１５２は、表示板１５０の前面に配置され、ベースフレーム１０２に固定され、表示板１５０の色表示部１５６の位置（断路位置、テスト位置および接続位置）を外部に表示する三つの表示窓１５８、１６０、１６２がそれぞれ形成され、中央部には送りネジ１０４を回転させるためのハンドル（図示せず）が挿入されるハンドル挿入穴１６４が形成されている。
【００１０】
このような表示手段１０７は、カム１１４が回転すると、該カム１１４および連結ピン１２４により連結された表示板１５０が上下方向に移動し、該表示板１５０に形成された色表示部１５６がフロントプレート１５２の各表示窓１５８、１６０、１６２を介して色で表示されて、使用者に現在遮断器本体２００の位置を表示するようになってある。
【００１１】
以下、このように構成された従来気中遮断器の連動装置の位置表示装置の作動状態について説明する。
先ず、クレードル１００と遮断器本体２００とを接続する場合、遮断器本体２００をクレードル１００のガイドフレーム２１４に載置させて押すと、クレードル１００の内部に遮断器本体２００が移動する。ネジ管１０６に送りネジ１０４が接触した状態で、ハンドルを利用して送りネジ１０４を回転させると、該送りネジ１０４が回転しながらネジ管１０６の内部に前進する。
【００１２】
すると、クレードル１００に装着された各コネクター２０６、２０８に遮断器本体２００から突き出した二つの連結端子２１０、２１２がそれぞれ挿入されて電源端子２０２と負荷端子２０４とが連結される。
このように送りネジ１０４が前進すると、リードバー１１２はクレードル１００の外面に接触して送りネジ１０４と反対方向に移動する。
【００１３】
その結果、リードバー１１２はカム１１４のスロット１１８に沿って移動しながらカム１１４を反時計方向に回転させる。このようなカム１１４の回転により表示板１５０が上方側方向に移動して、該表示板１５０に形成された色表示部１５６がフロントプレート１５２の三つの表示窓１５８、１６０、１６２の何れかに表示されて、遮断器本体２００の現在位置を表示するようになっている。
【００１４】
例えば、遮断器本体２００から突き出した各連結端子２１０、２１２とクレードル１００に装着される各コネクター２０６、２０８とが連結されてない回路遮断状態であるときは、表示板１５０の色表示部１５６が三つの表示窓中の最下側表示窓１５８に表示されて、使用者に対して現在の遮断器本体２００の位置が断路位置であることを表示する。
【００１５】
一方、送りネジ１０４が一定程度前進して制御電源が印加され、使用者が遮断器の各部をチェックしてテストする位置であるテスト位置に到達すると、表示板１５０が所定程度上方側に移動するので、前記表示窓中の中間に形成された表示窓１６０に色表示部１５６が表示されてテスト位置であることを表示する。
【００１６】
更に、送りネジ１０４が完全に前進してクレードル１００に装着された各コネクター２０６、２０８に各連結端子２１０、２１２が完全に挿入されて通電される接続位置に到達すると、色表示部１５６が上方側表示窓１６２に表示されて接続位置であることを表示するようになっている。
【００１７】
【発明が解決しようとする課題】
而るに、このような従来の引出型回路遮断器においては、遮断器本体の位置を表示するために表示板の色表示部がフロントプレートの表示窓を介して外部に表示されるように構成されているので、色の区別ができない使用者の場合は表示窓に表示された色表示部の位置を把握することが困難で、また、色表示部に異質物などが付いた場合は、該色表示部の色相を認識することができないという不都合な点がある。
【００１８】
本発明は、このような従来の課題に鑑みてなされたもので、遮断器本体の位置を表示する構造を改善することで、色の区別ができない使用者も位置を正確に識別することが可能で、遮断器本体の位置を使用者がより正確に識別し得る、引出型気中遮断器の位置表示装置を提供することを目的とする。
【００１９】
【課題を解決するための手段】
請求項１に記載の本発明は、電源端子および負荷端子が形成され、移動可能で、電源と負荷間の回路を接続または遮断するための遮断器本体と、前記遮断器本体の移動に従って該遮断器本体と電気的および機械的に接続または分離可能で、前記遮断器本体と電気的および機械的に接続されるコネクター、前記遮断器本体との接続または分離を案内するためのネジ管および、電源および負荷にそれぞれ接続される電源端子および負荷端子が具備されるクレードルと、前記遮断器本体に固定されるベースフレームと、前記ベースフレームにより回転可能に支持され、前記ネジ管に挿入される位置および前記ネジ管から分離される位置に移動可能な送りネジと、前記ベースフレームにより水平直線移動可能に支持され、前記送りネジと平行に延設設置されて、前記送りネジが前記ネジ管に挿入されるとき、または、前記ネジ管から分離されるときに前記送りネジの進行方向とは反対方向に該送りネジの移動距離に相応する距離を直線移動するリードバーと、該リードバーに前記送りネジの挿入方向に弾性力を印加するためのスプリングとから成るリードバーアセンブリーと、前記リードバーに接続されて、該リードバーの直線移動を回転移動に変換させるカムと、前記カムに接続され、前記送りネジの位置移動に応じた前記遮断器本体の位置移動を表示するための位置表示装置と、を包含して構成される気中遮断器において、
前記位置表示装置は、
前記フレームに固定され、支持穴が形成されるガイドプレートと、前記ガイドプレートに上下垂直移動可能に配置され、前記カムの作動突起と連結されて前記カムが回転すると、垂直方向に直線移動され、長手方向に形成されたガイド穴及びガイド穴から垂直方向に延長される案内スロットが形成される移動プレートと、前記移動プレートの前方に配置され、その前面に位置指示部が形成される円板部、該円板部の後面に一体に延長され前記移動プレートのガイド穴を貫通して前記ガイドプレートの支持穴に回転可能に支持される回転軸部、及び前記円板部の後面偏心して突出されて前記移動プレートの案内スロットに挿入され、前記移動プレートが垂直移動すると前記円板部を回転運動させる駆動突起から成る表示カムと、前記表示カムの前方に固定されて配置され、該表示カムの位置指示部が外部に露出されるようにホールが形成され、該ホールの周辺には前記位置指示部により遮断器本体の位置が指示される位置マーキング部が形成されるフロントプレートとを包含して構成されることを特徴とする気中遮断器を要旨とする。
【００２０】
【発明の実施の形態】
以下、本発明の実施の形態に対し、図面を用いて説明する。
本発明に係る気中遮断器においては、図１および図８に示すように、電源端子２１０および負荷端子２１２が形成され、移動可能で電源と負荷間の回路を連結または遮断するための遮断器本体２００と；該遮断器本体２００の移動により該遮断器本体２００の電源端子２１０および負荷端子２１２と電気的および機械的に接続または分離され各コネクター２０６、２０８と、遮断器本体２００との接続または分離を案内するネジ管１０６と、電源および負荷にそれぞれ接続される電源端子２０２および負荷端子２０４とから成るクレードル１００と；遮断器本体２００に固定されるベースフレーム２と；該ベースフレーム２に回転可能に支持され、ネジ管１０６に挿入される位置とネジ管１０６から分離される位置とに移動可能な送りネジ４と；ベースフレーム２により水平移動可能に支持され、送りネジ４と平行に延設設置されて、ネジ管１０６に挿入されるときまたは該ネジ管１０６から分離されるとき、送りネジ４の進行方向とは反対方向に該送りネジ４の移動に応じた距離を直線移動するリードバー１６と、該リードバー１６に送りネジ４の挿入方向に弾性力を与えるためのスプリング２６とから成るリードバーアセンブリーと；リードバー１６に接続されて、該リードバー１６の直線移動を回転移動に変換させるカム２２と；該カム２２に接続されて、送りネジ４の位置移動に応じた遮断器本体２００の位置移動を外部に表示する位置表示装置２４と；を包含して構成されている。
【００２１】
そして、ベースフレーム２は、図１に示すように、略Ｌ字状の２枚の鋼板が所定距離離れて、同様にＬ字状の前方側支持パネル１２により相互接続して構成されて、遮断器本体２００の下部に前記Ｌ字状の２枚の鋼板が横たわった状態で設置される。また、ベースフレーム２は、送りネジ４の後端部を支持するために、ベースフレーム２の後方側に固定設置される後方側支持パネル１４を追加包含して構成されている。
【００２２】
また、送りネジ４は、ベースフレーム２の前方側支持パネル１２および後方側支持パネル１４により回転可能に支持されている。送りネジ４の先端部外周面には螺旋が形成されており、内周面に螺旋が形成されてクレードル１００に固定されたネジ管１０６と螺合される。即ち、遮断器本体２００をクレードル１００に接続させるために、遮断器本体２００をクレードル１００方向に押した状態で、ハンドルを利用して送りネジ４を時計方向に回転させると、該送りネジ４の螺旋の形成された先端部がクレードル１００のネジ管１０６に螺合され、一方、テストまたは断路のために送りネジ４を反時計方向に回転させると、該送りネジ４の螺旋の形成された先端部がクレードル１００のネジ管１０６から分離される。
【００２３】
また、ベースフレーム２の一方側下部には、遮断器本体２００が断路位置、テスト位置および接続位置に移動されると、それらの位置を固定するための固定機構１０が設置されている。ここで、位置の固定は、スプリングの弾性力によって固定ボルトが送りネジ４の後方端部に形成された溝に挿入されることで行われ、また、位置固定の解除は、使用者が位置表示装置２４の下部に突出されたスライドバーを押入れることによって行われる（固定機構１０の詳細な構成および作用効果に対しては、本出願人の韓国特許出願２０００−２０４１号（２０００年１月１７日出願）を参考にすることができる）。
【００２４】
送りネジ４のベースフレーム２内に位置される後方端部には、ハンドルが嵌合される断面多角形の溝（図示せず）が形成される。
更に、リードバー１６は、ベースフレーム２からクレードル１００に向かって送りネジ４の先端部と平行に延設される所定長さの棒状部材であって、該リードバー１６の一方端部は自由端部で、該自由端部が送りネジ４がネジ管１０６に挿入される時にクレードル１００の壁面に接触して該壁面により押圧され、リードバー１６は送りネジ４の挿入方向（前進方向）とは反対方向に後進される。また、リードバー１６の他方端部は、ガイド部材１８を介在してカム２２に接続される。
【００２５】
ガイド部材１８は、中央が送りネジ４により貫通されて、該送りネジ４の外周面上で水平直線移動される二枚の平板が相互連結されて構成されている。即ち、ガイド部材１８は、ベースフレーム２内の送りネジ４の外周面上で水平直線移動されるように該送りネジ４により貫通設置され、ガイド部材１８を中心に相互反対方向にそれぞれ延設されるリードバー１６と接続される。このとき、ガイド部材１８は、リードバー１６が正確な水平直線移動されるようにガイドする機能を行う。
【００２６】
ガイド部材１８の一面と後方側支持パネル１４間にはスプリング２６が介在され、該スプリング２６は、後進されたリードバー１６に送りネジ４の前進方向に弾性力を与えることで、リードバー１６を元の位置に復帰させる。
スプリング２６は、送りネジ４の外周面に巻回された状態で、一方端部がガイド部材１８の一面により支持され、他方端部は後方側支持パネル１４により支持されるコイルスプリングにより構成されている。
【００２７】
リードバー１６においてカム２２に向かって延設された部分は、ガイド部材１８とカム２２間に連結されて、ガイド部材１８が直線移動すると一緒に直線移動しながらカム２２を回転させる所定長さを有する棒状の部材である。
また、リードバー１６においてカム２２に向かって延設された部分の一方端部はガイド部材１８に連結され、他方端部にはカム２２に形成される案内スロット３４に係合されて該スロット３４に沿って移動されるガイドピン２８が一体に形成されている。
【００２８】
更に、カム２２は、一方側がベースフレーム２の一方側から突成されるヒンジ軸３２に挿合されて回転され、下方側にはリードバー１６のガイドピン２８が移動可能に挿入される所定形状の案内スロット３４が形成され、上方側には位置表示装置２４と連結される作動突起３８が偏心して形成されている。
【００２９】
位置表示装置２４は、カム２２と接続されて、該カム２２の回転を垂直方向の直線移動に変換して提供するための第１動力変換手段と、該第１動力変換手段に接続されて、該第１動力変換手段の直線移動を回転移動に変換して提供するための第２動力変換手段と、該第２動力変換手段の回転に応じた遮断器本体２００の位置移動を表示するための表示手段と、を包含して構成されている。
【００３０】
以下、本発明の位置表示装置２４の一実施形態を図２、３に基づいて詳しく説明する。
先ず、ベースフレーム２の後方側に垂直方向に直線移動されるように配置され、カム２２の作動突起３８と連結されてカム２２が回転すると垂直方向に移動される移動プレート（ｍｏｖａｂｌｅ  ｐｌａｔｅ）４０が前記第１動力変換手段として位置表示装置２４に包含され、また、移動プレート４０により回転可能に接続されて、該移動プレート４０が垂直方向に移動すると回転される表示カム４２が前記第２動力変換手段として位置表示装置２４に包含されている。
【００３１】
更に、移動プレート４０の前方側には、表示カム４２の回転により位置移動される遮断器本体２００の位置を外部に表示するためのフロントプレート４４が固定設置され、移動プレート４０の後方側には、ベースフレーム２に固定されて移動プレート４０の上下移動をガイドするガイドプレート４６が固定設置されている。
【００３２】
ここで、移動プレート４０は、カム２２と連結されて該カム２２が回転すると上下方向に移動される平板状の部材であって、上部には表示カム４２が挿入されて直線移動可能に支持されるように長手方向にガイド穴４８が形成され、該ガイド穴４８の長手方向の中央部には、該ガイド穴４８から直角方向である水平方向に延設される所定長さの案内スロット５０が形成されている。ここで、案内スロット５０は、表示カム４２に形成された駆動突起５８を支持および案内する機能を行うもので、案内スロット５０の周縁部分が移動プレート４０の垂直方向の動力を表示カム４２に伝達する。即ち、移動プレート４０が垂直方向に移動すると、移動プレート４０の案内スロット５０の周縁部分が表示カム４２の駆動突起５８を押圧して表示カム４２を回転させる。
【００３３】
そして、ガイド穴４８の下方側には、送りネジ４を回転させるハンドルが通過するハンドル挿入穴５２が形成されている。
また、表示カム４２は、円板形の部分と、該円板形部分の上、下面からそれぞれ延設される位置指示部（図３〜図５に示された矢印を含む小さい円部分）８０および回転軸部５６と、回転軸部５６と同一平面上に偏心して位置される駆動突起５８とが形成されている。詳しくは、表示カム４２の円板形部分は、フロントプレート４４と移動プレート４０間に位置され、回転軸部５６は、移動プレート４０のガイド穴４８を貫通してガイドプレート４６の後述する支持穴６２の内周面により支持される。また、表示カム４２の駆動突起５８は、上述したように移動プレート４０の案内スロット５０内に受容されて、移動プレート４０が垂直移動する時の動力を表示カム４２に伝達して該表示カム４２を回転させる。表示カム４２の位置指示部８０の上面には、表示カム４２の回転に伴って移動するように設けられ遮断器本体２００の位置を外部に表示するための位置指示標識が形成されている。該位置指示標識の形態は、使用者が目視で識別しやすい形態であれば如何なる形態であっても構わないが、本明細書では、前記位置指示標識を矢印形状に形成して、矢印の指示方向で遮断器本体２００の位置を表示し得るように構成しである。
【００３４】
移動プレート４０の案内スロット５０は、表示カム４２が回転するとき、表示カム４２の回転範囲内で駆動突起５８が離脱しないように充分な長さを有して形成される。
また、フロントプレート４４は、その全体的形状が平板状を呈し、移動プレート４０の前方側に固定された状態で配置されている。フロントプレート４４の上部には表示カム４２の位置指示部８０を回転可能に受容するための穴部５４が形成され、該穴部５４上に透視窓を形成することもできる。また、フロントプレート４４の長手方向の中央部には、送りネジ４を回転させるためのハンドルが挿入されるハンドル挿入穴６０が形成されている。なお、ハンドル挿入穴６０の下部に形成された水平スロットは、遮断器本体２００の位置固定のための固定機構１０のスライドバー（図示せず）を突出または挿入させるための案内溝である。
【００３５】
フロントプレート４４の穴部５４の円周に近接した位置には、表示カム４２が回転しながら位置指示部８０上の矢印により選択的に遮断器本体２００の位置が指示される位置マーキング部が形成される。ここで、前記位置マーキング部は、断路位置マーキング部７０、テスト位置マーキング部７２および接続位置マーキング部７４が所定間隔をおいてそれぞれ形成されている。
【００３６】
更に、ガイドプレート４６は、移動プレート４０とベースフレーム２間に配置されて、移動プレート４０の上下垂直移動をガイドするための平板状の部材であって、上部には、表示カム４２の回転軸部５６を回転可能に支持するための支持穴６２が形成され、また、長手方向の中央部には、ハンドル（図示せず）を通過させるためのハンドル挿入穴６４が形成されている。
【００３７】
以下、図面を参照して、このように構成される本発明に係る引出型気中遮断器の位置表示装置の動作を説明する。
先ず、遮断器本体２００を接続位置またはテスト位置から断路位置に移動させる場合においては、ハンドルをフロントプレート４４のハンドル挿入口６０、移動プレート４０のハンドル挿入穴５２およびガイドプレート４６のハンドル挿入穴６４を経由して送りネジ４のハンドル挿入溝に挿入した後、反時計方向に回転させる。これにより、送りネジ４が後退しながらネジ管１０６から分離され、従って、遮断器本体２００の電源端子２１０および負荷端子２１２がクレードル１００の各コネクター２０６、２０８からそれぞれ分離されながら電源と負荷間の回路が遮断される断路位置（ｃｉｒｃｕｉｔ  ｂｒｅａｋｉｎｇ  ｐｏｓｉｔｉｏｎ）に遮断器本体２００が位置される。
【００３８】
すると、図１に示すように、リードバー１６の自由端部を押圧していたクレードル１００の一壁面からの押圧力がなくなるので、リードバー１６は、スプリング２６の弾性力によって後退される送りネジ４の進行方向とは反対方向、即ち、図１の左側方向に水平移動される。
従って、ガイドピン２８によりリードバー１６と接続されたカム２２は時計方向に回転され、該カム２２の時計方向の回転動力が作動突起３８を介して移動プレート４０に伝達されて、該移動プレート４０は下動する。
【００３９】
このような移動プレート４０が下方へ移動すると、図３に示すように、駆動突起５８により移動プレート４０に接続された表示カム４２が時計方向に回転するので、該表示カム４２の位置指示部８０上の矢印がフロントプレート４４上の断路位置マーキング部７０を指示して、使用者に現在遮断器本体２００が断路位置にあることを表示する。
この時、表示カム４２の駆動突起５８は、図４（ａ）に示すように、移動プレート４０の案内スロット５０内で左側に移動した状態になり、断面図上では図４（ｂ）に示した位置になる。
【００４０】
一方、遮断器本体２００を断路位置からテスト位置に移動させる場合には、クレードル１００の電源端子２０２に高電圧の主電源を連結してない状態で、ハンドルをフロントプレート４４のハンドル挿入口６０、移動プレート４０のハンドル挿入穴５２およびガイドプレート４６のハンドル挿入穴６４を経由して送りネジ４のハンドル挿入溝に挿入した後、時計方向に所定回転させる。ここで、前記所定回転とは、接続位置である時、送りネジ４がネジ管１０６に完全に挿入されたときの１／２程度が挿入される回転を意味する。
【００４１】
すると、クレードル１００の各コネクター２０６、２０８に遮断器本体２００の電源端子２１０および負荷端子２１２がそれぞれ接続され、この状態でクレードル１００の電源端子２０２に常用電源のような所定の低電圧電気信号を印加して、遮断器の回路遮断動作をテストする。
このとき、リードバー１６は、クレードル１００の一壁面により押圧されて、図１に示された状態よりも所定長さだけ送りネジ４の進行方向とは反対方向に後退されるので、リードバー１６が後退したストローク分だけカム２２が反時計方向に回転する。
【００４２】
従って、ガイドピン２８はカム２２の案内スロット３４の長手方向の中央に位置され、カム２２の反時計方向の回転動力は、作動突起３８を介して移動プレート４０に伝達されるので、該移動プレート４０は所定距離だけ上昇する。ここで、前記所定距離とは、移動プレート４０が断路位置から接続位置まで上昇する距離の１／２程度を意味する。
このような移動プレート４０の上昇移動により、駆動突起５８により移動プレート４０に接続された表示カム４２が反時計方向に回転し、よって、該表示カム４２の位置指示部８０上の矢印がフロントプレート４４上のテスト位置マーキング部７２を指示するようになって、使用者に現在遮断器本体２００がテスト位置にあることを表示する。
【００４３】
このとき、表示カム４２の駆動突起５８は、図５（ａ）に示すように、移動プレート４０の案内スロット５０内で中央に移動した状態になり、断面図上では図５（ｂ）に示した位置になる。
また、遮断器本体２００がテスト位置から接続位置に移動する場合には、クレードル１００の電源端子２０２に高電圧の主電源を連結した状態で、ハンドルをフロントプレート４４のハンドル挿入口６０、移動プレート４０のハンドル挿入穴５２およびガイドプレート４６のハンドル挿入穴６４を経由して送りネジ４のハンドル挿入溝に挿入した後、時計方向に限界まで回転させて、送りネジ４をネジ管１０６に完全に挿入させる。
【００４４】
すると、クレードル１００の各コネクター２０６、２０８に遮断器本体２００の電源端子２１０および負荷端子２１２がそれぞれ接続される。
この状態でリードバー１６は、クレードル１００の一壁面により完全に押圧されて送りネジ４の進行方向とは反対方向に完全に後退されるので、リードバー１６の後退ストローク分だけカム２２が反時計方向に更に回転する。
【００４５】
このとき、ガイドピン２８はカム２２の案内スロット３４の長手方向の最右側に位置され、カム２２の反時計方向の回転動力が作動突起３８を介して移動プレート４０に伝達されるので、該移動プレート４０は完全に上昇する。
このような移動プレート４０の上昇移動により、駆動突起５８により移動プレート４０に接続された表示カム４２が、図５に示すように、反時計方向に回転するので、該表示カム４２の位置指示部８０上の矢印がフロントプレート４４上の接続位置マーキング部７４を指示するようになって、使用者に現在の遮断器本体２００が接続位置にあることを表示する。
【００４６】
この時、表示カム４２の駆動突起５８は、図６（ａ）に示すように、移動プレート４０の案内スロット５０内で右側に移動した状態になり、断面図上では図６（ｂ）に示した位置になる。
一方、本発明に係る位置表示装置の他の実施形態においては、図７に示すように、第１動力変換手段と；該第１動力変換手段に形成されるラックギヤ８６と、該ラックギヤ８６と歯合（ｍｅｓｈｅｄ）されて前記第１動力変換手段の直線移動により回転されるピニオンギヤ９０とから成る第２動力変換手段とが形成され、その他の部分は図２に示した一実施形態と同様に構成されている。
【００４７】
詳しくは、カム２２の回転移動を直線移動に変換するための第１動力変換手段として、カム２２と連結されて該カム２２が回転すると上下方向に移動され長手方向にガイド穴８４が形成される移動プレート８２が形成され、第２動力変換手段としては、移動プレート８２のガイド穴８４の一面に形成されるラックギヤ８６と、表示カム９２に形成されてラックギヤ８６と歯合し移動プレート８２の上下方向の移動によって回転するピニオンギヤ９０と、が形成されている。
【００４８】
表示カム９２は、円板形の部分と、該円板形部分の上、下面からそれぞれ延設される位置指示部と、回転軸部８８とから形成される。詳しくは、前記円板形部分の外周面には、ラックギヤ８６と歯合されるピニオンギヤ９０が形成され、回転軸部８８は、移動プレート８２のガイド穴８４を貫通延設されてガイドプレート４６の支持穴６２の内周面により支持され、ピニオンギヤ９０は、移動プレート８２のラックギヤ８６に歯合しているので、移動プレート８２が垂直移動すると表示カム９２が回転される。
【００４９】
このように構成された本発明の位置表示装置の他の実施形態の動作を説明すると、移動プレート８２が上下方向に移動すると、ラックギヤ８６およびピニオンギヤ９０の作用により移動プレート８２の直線移動が回転移動に変換されるので表示カム９２が回転され、このように表示カム９２が回転されると、位置表示部８０上の矢印がフロントプレート４４上の３つの位置マーキング部の何れか一つを選択的に指示して、遮断器本体２００の位置を表示するようになっている。
【００５０】
【発明の効果】
以上説明したように、本発明に係る気中遮断器の位置表示装置によれば、遮断器本体の移動に従って移動プレートが上、下方向に移動されると、表示カムが回転しながらフロントプレート上の位置マーキング部中何れか一つを指示することで遮断器本体の位置を表示するので、使用者が遮断器本体の位置を正確に識別し得るという効果がある。
【図面の簡単な説明】
【図１】本発明に係る引出型気中遮断器のインターロッキング装置を示した側面図である。
【図２】図１の位置表示装置の一実施形態を示した分解斜視図である。
【図３】図２の位置表示装置が結合された状態を示した正面図である。
【図４】（ａ）は、図２の位置表示装置の作動状態中の断路位置を示したもので、（ｂ）は、図４（ａ）のＡ−Ａ線断面図である。
【図５】（ａ）は、図２の位置表示装置の作動状態中のテスト位置を示したもので、（ｂ）は、図５（ａ）のＢ−Ｂ線断面図である。
【図６】（ａ）は、図２の位置表示装置の作動状態中の接続位置を示したもので、（ｂ）は、図６（ａ）のＣ−Ｃ線断面図である。
【図７】本発明に係る位置表示装置の他の実施形態を示した分解斜視図である。
【図８】従来気中遮断器を示した側面図である。
【図９】従来気中遮断器の連動装置を示した側面図である。
【図１０】図９の表示手段を示した分解斜視図である。
【符号の説明】
２…ベースフレーム
４…送りネジ
１２…前方側支持パネル
１４…後方側支持パネル
１６…リードバー
２６…スプリング
２２…カム
２４…位置表示装置
４０…移動プレート
４２…表示カム
４４…プレート
１００…クレードル
１０６…ネジ管
１１２…リードバー
１１４…カム
１１８…スロット
２００…遮断器本体
２０６…コネクター
２０８…コネクター
２１０…電源端子
２１２…負荷端子
【図１】
0003616370.tif 000002
【図２】
0003616370.tif 000003
【図３】
0003616370.tif 000004
【図４】
0003616370.tif 000005
【図５】
0003616370.tif 000006
【図６】
0003616370.tif 000007
【図７】
0003616370.tif 000008
【図８】
0003616370.tif 000009
【図９】
0003616370.tif 000010
【図１０】
0003616370.tif 000011